(57)【特許請求の範囲】
【請求項１】
親水性表面を有する金属支持体及び感光層から成る感光性平版印刷版において、該金属支持体の対向する二方又は四方の端部の側面が、感光層側の端部表面のへりから下ろした垂線に対して５°以上の角度で切り落とされた形状を有し、感光層側の端部側面上部からその切り落とし部が開始する点までの距離Ｌが下記式を満足し、かつ、該版側面の化学処理をすることのない感光性平版印刷版。
Ｌ≦（金属支持体厚み）×２÷３
【請求項２】
請求項１に記載の親水性表面を有する感光性平版印刷版用の金属支持体であって、該金属支持体の対向する二方又は四方の端部の側面が、感光層側の端部表面のへりから下ろした垂線に対して５°以上の角度で切り落とされた形状を有し、感光層側の端部側面上部からその切り落とし部が開始する点までの距離Ｌが下記式を満足する感光性平版印刷版用金属支持体。
Ｌ≦（金属支持体厚み）×２÷３
【発明の詳細な説明】
【０００１】
【発明の属する技術分野】
本発明はオフセット印刷用の感光性平版印刷版に関するもので、更に詳しくはオフセット印刷において端部に見られる印刷物の汚れの発生を解消することができる感光性平版印刷版及びそれに用いられる金属支持体に関するものである。
【０００２】
【従来の技術】
オフセット印刷用の感光性平版印刷版は、ＰＳ版（Ｐｒｅ−ｓｅｎｓｉｔｉｚｅｄ  Ｐｌａｔｅの略称）と呼ばれ、アルミニウム板を支持体として広く一般的に用いられている。
このＰＳ版の支持体として用いられるアルミニウム板の表面には親水性が付与されているが、このアルミニウム表面の加工方法としては、種々な方法が使用されている。その一例としては、種々の方法でシート状又はコイル状のアルミニウム板に対して脱脂洗浄や砂目立てを行った後、必要に応じ、残査除去、電解腐食、陽極酸化処理や親水化処理などを行うことによって、アルミニウム板の親水性表面を得ている。
【０００３】
ＰＳ版は、このような親水性表面を有するアルミニウム板に感光液を塗布、乾燥してから、ギロチンやフライングシャー、ロータリーシャー、ダウンカットシャー、アップカットシャー、スリッターなど種々の方法により、所定の寸法に断裁することによって作られている。
オフセット印刷では、このＰＳ版を画像露光した後、現像などの処理を行い、必要に応じ、印刷機への取り付けのための折り加工等をされた後、印刷機に取り付けられる。この際、印刷される印刷用紙のサイズと比べ、印刷版のサイズが大きければ何ら問題はないが、印刷板のサイズよりも印刷用紙のサイズの方が大きい場合には、印刷機に取り付けられた版の取り付け部側でない版の両端部が、直線状、鎖線状或いは点線状に印刷されてしまうため、特にカラー印刷物などでは印刷物の商品価値を著しく損なうといった問題があった。特に、最終印刷物での該汚れ部の断ち落としのできない新聞印刷などでは、この問題は大きな問題となっていた。
【０００４】
従来、このようなオフセット印刷での印刷版の端部の印刷物汚れを防止する方法としては、種々の方法が考案されている。例えば、特公昭５７ー４６７５４号公報では、アルミニウム板の表面側のへりの角部を圧を加えてつぶすか、削り取るか又はへりを研磨して表面に対してのその部分の幅が５μ以上でその角度θが１０°＜θ＜４５°のものとすることが良いとされている。
【０００５】
また、特公昭６２ー６１９４６号公報では、アルミニウム支持体の感光性平版印刷版の端面を、強酸の金属塩を含有させた親水性高分子化合物の水溶液からなる不感脂化液を用いて処理された印刷版が、さらに、特開平５ー１０４８７３号公報では、アルミニウム板の端部の表面からなす角度が５°以上でその表面を陽極酸化皮膜で覆った印刷版などが報告されている。
【０００６】
【発明が解決するための課題】
しかしながら、特公昭５７ー４６７５４号公報や特開平５ー１０４８７３号公報などの方法により、アルミニウム表面処理前に端面加工を行う場合には、製品のアルミニウム板幅を予め決めて行わなければならなかった。このため、これらの方法では、１ｍｍ単位で違う製品幅の要求に対して任意にその幅を選択することができず、生産性の低下が避けられないという問題がある。また、表面処理加工後に端面加工を行う場合には、表面処理されたアルミニウム表面が削られたり潰されたりするため、該端部の保水性能が低下し、印刷での汚れ防止効果の性能低下の問題が生じる。さらに、特公昭６２ー６１９４６号公報に記載の方法の場合は、化学的な薬品処理による不感脂化であるため、断裁端面のみに薬品処理を行う必要があり、表面の感光性樹脂面への回り込みを防止するために段積み状態での加工が必要となるなど、断裁とは別の工程の設備が必要となり、印刷版の大量生産に向く方法とはいえなかった。また、仮に、このような不感脂化液が感光性樹脂面についた場合には、その部分が不感脂化されてしまうため、印刷版の有効サイズ内に印刷できない部分ができるという問題が生じる。
【０００７】
【課題を解決するための手段】
本発明は、このような版端面の化学処理をすることなく、大量生産に適しており、かつ、版端部印刷汚れのない優れた感光性平版印刷版を提供するものである。すなわち、本発明は、親水性表面を有する金属支持体及び感光層から成る感光性平版印刷版において、該金属支持体の対向する二方又は四方の端部の側面が、感光層側の端部表面のへりから下ろした垂線に対して５°以上の角度で切り落とされた形状を有し、感光層側の端部側面上部からその切り落とし部が開始する点までの距離Ｌが下記式を満足し、かつ、該版側面の化学処理をすることのない感光性平版印刷版を提供する。
【０００８】
Ｌ≦（金属支持体厚み）×２÷３
また、本発明は、上記に記載の親水性表面を有する感光性平版印刷版用の金属支持体であって、該金属支持体の対向する二方又は四方の端部の側面が、感光層側の端部表面のへりから下ろした垂線に対して５°以上の角度で切り落とされた形状を有し、感光層側の端部側面上部からその切り落とし部が開始する点までの距離Ｌが下記式を満足する感光性平版印刷版用金属支持体も提供する。
【０００９】
Ｌ≦（金属支持体厚み）×２÷３
本発明の感光性平版印刷版の代表的な例を図１〜３に示す。
端部の側面における端部表面のへりから下ろした垂線に対する角度が５度未満の場合には、インキングロールから版にインキが供給される際、該版端部側面上部に僅かなインキではあるが、残ったインキが次のオフセット胴への画像転写の際に、該部のインキが転写されて印刷物での汚れを引き起こすため本発明の効果が得られない。
【００１０】
また、端部側面上部からその切り落とし部が開始する点までの距離Ｌが（金属支持体厚み）×２÷３を越える場合、前述した理由と同じ理由で本発明の効果は得られず、端部側面上部からその切り落とし部が開始する点までの距離が本発明で規定された式、Ｌ≦（金属支持体厚み）×２÷３を満足することにより、インキングロールからの版端部でのインキ残りが少なくなると同時にオフセット胴への該部からのインキの転移も少なくできるため、版端部での印刷汚れを解消できるものと考えられる。
【００１１】
通常、オフセット印刷で使用されるアルミニウム支持体の厚みは、０．１５から０．３０ｍｍのものである。また、新聞印刷で使用されているアルミニウム支持体の厚みは、０．２５ｍｍから０．３０ｍｍ程度のものが一般的に用いられている。
また、本発明に用いられる親水性表面を有する金属支持体としては、特にアルミニウムに限定されることはなく、鉄、亜鉛などの金属支持体を使用することもできる。
【００１２】
【発明の実施の形態】
【００１３】
【実施例】
本発明の実施例及び比較例として、下記に示すような端部形状の異なる５種のアルミニウム支持体サンプルＡ，Ｂ，Ｃ，Ｄ，Ｅを作成した。
Ａ：端部がほぼ直角に切り落とされたもの。（図４参照）
Ｂ：版表面のヘリから広がり１０度で仕上げたもの。（図５参照）
Ｃ：版表面のヘリからＢとは反対に内側に１０度の角度でアンダーカットに仕上げたもの。（図６参照）
Ｄ：版表面のヘリが僅かに湾曲し表面から０．２５ｍｍの端面部分から裏面にかけて４５度の角度で切り落とされたもの。（図７参照）
Ｅ：Ｄを元に表面から０．１５ｍｍ以下を裏面にかけて４５度の角度でヤスリで切り落としたもの。（図８参照）
これらの各サンプルＡ〜Ｅについて、厚さ０．３ｍｍのアルミニウム支持体を有する感光性平版印刷版を作成した。
【００１４】
各サンプルＡ〜Ｅから得られた感光性平版印刷版について、フラットプリンター（キタムラ製露光装置、高圧水銀灯）を用いて、所定の画像を８５０カウントの露光量で焼き付けた後、自動現像機で処理し印刷での仕上がりを評価した。印刷機は枚葉印刷機（浜田印刷機β−５２ＳＦ)を用い、毎時３、０００枚での速度で４種類のサンプルを同時に比較印刷できるようにした。このようにして、各印刷版の端部に対応する印刷紙面の汚れ、すなわち、端部に起因する線状の汚れの発生状態を比較評価した。その結果は表１の通りであった。
【００１５】
【表１】
0003688061.tif 000002
【００１６】
【本発明の効果】
本発明の感光性平版印刷版用金属支持体、及び、その金属支持体を有する感光性平版印刷版を用いることにより、オフセット印刷において印刷版端部に起因する印刷物の汚れの発生を抑えることができることばかりでなく、本発明の印刷版は大量生産にも適している。
【図面の簡単な説明】
【図１】本発明の感光性平版印刷版の端部断面図で、ヘリの部分の拡大図である。
【図２】本発明の感光性平版印刷版用金属支持体の端部断面図で、ヘリの部分の拡大図である。
【図３】本発明の感光性平版印刷版用金属支持体の端部断面図で、ヘリの部分の拡大図である。
【図４】比較例の感光性平版印刷版用金属支持体の端部断面図で、ヘリの部分の拡大図である。
【図５】比較例の感光性平版印刷版用金属支持体の端部断面図で、ヘリの部分の拡大図である。
【図６】本発明の感光性平版印刷版用金属支持体の端部断面図で、ヘリの部分の拡大図である。
【図７】比較例の感光性平版印刷版用金属支持体の端部断面図で、ヘリの部分の拡大図である。
【図８】本発明の感光性平版印刷版用金属支持体の端部断面図で、ヘリの部分の拡大図である。
【符号の簡単な説明】
１  金属板
２  砂目立て部
３  切り落とし部角度（＝θ゜）
４  端部側面上部から切り落とし部間での距離（＝Ｌ）
【図１】
0003688061.tif 000003
【図２】
0003688061.tif 000004
【図３】
0003688061.tif 000005
【図４】
0003688061.tif 000006
【図５】
0003688061.tif 000007
【図６】
0003688061.tif 000008
【図７】
0003688061.tif 000009
【図８】
0003688061.tif 000010